(57)【特許請求の範囲】
【請求項１】
嵌込部を有する留具本体と、該留具本体の前記嵌込部内に嵌め込まれる嵌入体とから成り、
前記留具本体の前記嵌込部と、前記嵌入体とには、これらの中心から偏心したネクタイを挿通するための偏心孔がそれぞれ設けられており、
前記嵌入体は、前記留具本体の前記嵌込部に嵌め込まれた状態で回転可能とされていることを特徴とするネクタイ用留具。
【請求項２】
前記留具本体側の前記偏心孔と、前記嵌入体側の前記偏心孔は、それぞれ２つずつ設けられていることを特徴とする請求項１に記載のネクタイ用留具。
【請求項３】
前記留具本体側の前記偏心孔と、前記嵌入体側の前記偏心孔は、スリット状の孔であることを特徴とする請求項１又は請求項２に記載のネクタイ用留具。
【請求項４】
前記留具本体の前記嵌込部と前記嵌入体との間に、ネクタイを留めた後の戻り回転を防止する戻り回転防止手段が設けられていることを特徴とする請求項１乃至請求項３のいずれか１項に記載のネクタイ用留具。
【請求項５】
前記留具本体の前記嵌込部と前記嵌入体との間に、ネクタイを留めた後の前記留具本体と前記嵌入体との分離を防止する分離防止手段が設けられていることを特徴とする請求項１乃至請求項４のいずれか１項に記載のネクタイ用留具。
【請求項６】
前記留具本体又は前記嵌入体に、衣類又は持ち物に止着するための止着部が設けられていることを特徴とする請求項１乃至請求項５のいずれか１項に記載のネクタイ用留具。
【発明の詳細な説明】
【技術分野】
【０００１】
本発明は、ネクタイ用留具に関するものである。
【背景技術】
【０００２】
従来から、ネクタイは、特に男性の首に巻く正装用の装飾布として使用され、数多くのメーカー等により大量に生産されている。また、ネクタイは、慣れていないと着用が面倒なので、不慣れな人でも簡単に着用できる技術なども知られている（特許文献１等を参照）。
【先行技術文献】
【特許文献】
【０００３】
【特許文献１】特開２００６−３４８４１８号公報
【発明の概要】
【発明が解決しようとする課題】
【０００４】
しかしながら、近年、クールビズの広がりから、ネクタイの在庫が溢れ、メーカーやそれを売る店等の関係者の頭を悩ませている。
【０００５】
こうしたことから、ネクタイを有効利用することを多くの関係者が考えているが、有効な打開策が得られていないのが実情である。
【０００６】
そこで、本発明は、ネクタイを有効利用することができるネクタイ用留具を提供することを目的としている。
【課題を解決するための手段】
【０００７】
前記目的を達成するために、本発明のネクタイ用留具は、嵌込部を有する留具本体と、該留具本体の前記嵌込部内に嵌め込まれる嵌入体とから成り、前記留具本体の前記嵌込部と、前記嵌入体とには、これらの中心から偏心したネクタイを挿通するための偏心孔がそれぞれ設けられており、前記嵌入体は、前記留具本体の前記嵌込部に嵌め込まれた状態で回転可能とされていることを特徴とする。
【発明の効果】
【０００８】
このような本発明のネクタイ用留具は、嵌込部を有する留具本体と、留具本体の嵌込部内に嵌め込まれる嵌入体とから成り、留具本体の嵌込部と、嵌入体とには、これらの中心から偏心したネクタイを挿通するための偏心孔がそれぞれ設けられており、嵌入体は、留具本体の嵌込部に嵌め込まれた状態で回転可能とされた構成とされている。このような構成なので、ネクタイを留具本体と嵌入体の偏心孔に挿通し、嵌入体を留具本体の嵌込部に嵌め込んでから回転させれば、留具本体の嵌込部と嵌入体との間の隙間をネクタイが塞いで、その圧入力で固定されるため、所望の位置で固定すれば、女性などの腰や腕などに巻くアクセサリーとしてネクタイを有効利用することができる。
【図面の簡単な説明】
【０００９】
【図１】実施例１のネクタイ用留具の概略構成を示す説明図であって、（ａ）は、嵌入体を嵌め込む前の状態を示す図であり、（ｂ）は、嵌入体を嵌め込んだ状態を示す図であり、（ｃ）は、嵌入体を回転させた状態を示す図である。
【図２】実施例１のネクタイ用留具の概略構成を示す断面図であって、（ａ）は、嵌入体を嵌め込む前の状態を示す図であり、（ｂ）は、嵌入体を嵌め込んだ状態を示す図である。
【図３】実施例１のネクタイ用留具を構成する留具本体及び嵌入体の拡大図である。
【図４】実施例１のネクタイ用留具を用いてネクタイを着用した例を示す図である。
【図５】実施例２のネクタイ用留具の概略構成を示す断面図である。
【図６】実施例３のネクタイ用留具の概略構成を示す断面図である。
【図７】実施例４のネクタイ用留具の概略構成を示す説明図である。
【図８】実施例４のネクタイ用留具を用いてネクタイを着用した例を示す図である。
【図９】実施例４のネクタイ用留具に用いられる異なるフックを示す説明図である。
【図１０】実施例５のネクタイ用留具の概略構成を示す説明図である。
【図１１】実施例６のネクタイ用留具の概略構成を示す説明図である。
【図１２】その他の実施例のネクタイ用留具の概略構成を示す説明図である。
【図１３】その他の実施例のネクタイ用留具の概略構成を示す説明図である。
【図１４】その他の実施例のネクタイ用留具の概略構成を示す説明図である。
【図１５】その他の実施例のネクタイ用留具の概略構成を示す説明図である。
【図１６】その他の実施例のネクタイ用留具の概略構成を示す説明図である。
【発明を実施するための形態】
【００１０】
以下、本発明を実施するための形態を、図面に示す実施例１〜６に基づいて説明する。
【実施例１】
【００１１】
（構成）
まず実施例１の構成について説明する。図１及び図２は、実施例１のネクタイ用留具１の概略構成を示している。この実施例１のネクタイ用留具１は、図１（ａ）及び図１（ｂ）に示したように、嵌込部１１ｂを有する留具本体１１と、この留具本体１１の嵌込部１１ｂに嵌め込まれる嵌入体１２とから構成されている。
【００１２】
なお、このネクタイ用留具１の大きさは、直径１０ｃｍ程度が好ましく、留具本体１１と嵌入体１２は、成型加工などで簡単に製造できるように、樹脂や金属であることが好ましい。
【００１３】
ここで、留具本体１１の嵌込部１１ｂの内径は、図２（ａ）及び図２（ｂ）に示したように、嵌入体１２の外径より若干大きくされており、図１（ｃ）に示したように、回転可能とされている。なお、図２（ｂ）に示したように、この回転をスムーズとするように、嵌込部１１ｂ側には、小さな突起が設けられている。この突起は嵌入体１２側に設けてもよい。
【００１４】
また、留具本体１１の嵌込部１１ｂには、その中心から偏心した後述するネクタイＮを挿通するためのスリット状の２つの偏心孔１１ａ，１１ａが設けられている。
【００１５】
また、嵌入体１２にも、その中心から偏心した後述するネクタイＮを挿通するためのスリット状の２つの偏心孔１２ａ，１２ａが設けられている。
【００１６】
そして、これらの偏心孔１１ａ，１１ａ，１２ａ，１２ａは、留具本体１１の嵌込部１１ｂへ嵌入体１２を嵌め込むと、図１（ｂ）に示したように、連通する大きさと配置である。
【００１７】
また、留具本体１１の嵌込部１１ｂの入口縁部には、図２（ａ）及び図２（ｂ）に示したように、ネクタイＮを留めた後の留具本体１１と嵌入体１２との分離を防止する分離防止手段としての内反部１１ｃが設けられている。
【００１８】
さらに、留具本体１１の嵌込部１１ｂの内周側面と嵌入体１２の外周側面とには、図３に示したように、ネクタイＮを留めた後の戻り回転を防止するための戻り回転防止手段としての複数の凹部２ａ，・・・と、凸部２ｂ，・・・とが設けられている。
【００１９】
これにより、図４に示したように、ネクタイＮを首や腰や腕などに巻いてネクタイ用留具１で留めると、今までに無い斬新なアクセサリーとなる。
【００２０】
（作用）
次に、実施例１の作用効果について説明する。
【００２１】
このような実施例１のネクタイ用留具１は、嵌込部１１ｂを有する留具本体１１と、留具本体１１の嵌込部１１ｂ内に嵌め込まれる嵌入体１２とから成り、留具本体１１の嵌込部１１ｂと、嵌入体１２とには、これらの中心から偏心したネクタイＮを挿通するための偏心孔１１ａ，１１ａ，１２ａ，１２ａがそれぞれ設けられており、嵌入体１２は、留具本体１１の嵌込部１１ｂに嵌め込まれた状態で回転可能とされた構成とされている。
【００２２】
上記した構成なので、ネクタイＮを留具本体１１と嵌入体１２の偏心孔１１ａ，１１ａ，１２ａ，１２ａに挿通し、嵌入体１２を留具本体１１の嵌込部１１ｂに嵌め込んでから回転させれば、留具本体１１の嵌込部１１ｂと嵌入体１２との間の隙間をネクタイＮが塞いで、その圧入力で固定されるため、所望の位置で固定すれば、女性などの腰や腕などに巻くアクセサリーとしてネクタイＮを有効利用することができる。
【００２３】
ここで、留具本体１１側の偏心孔１１ａと、嵌入体１２側の偏心孔１２ａは、それぞれ２つずつ設けられている。このため、まず留具本体１１と嵌入体１２の一方の偏心孔１１ａ，１２ａのみにネクタイＮを挿通しておき、腰や腕などに巻いた後で他方の偏心孔１１ａ，１２ａにネクタイＮを挿通してから嵌入体１２を回転させれば、ネクタイ用留具１をより簡単に固定することができる。
【００２４】
また、留具本体１１側の偏心孔１１ａ，１１ａと、嵌入体１２側の偏心孔１２ａ，１２ａは、スリット状の孔である。このため、偏心孔１１ａ，１１ａ，１２ａ，１２ａがスリット状の孔であるので、ネクタイＮにシワが寄り難いうえに、ネクタイＮの挿通や長さ調整もスムーズに行うことができる。
【００２５】
さらに、留具本体１１の嵌込部１１ｂと嵌入体１２との間に、ネクタイＮを留めた後の戻り回転を防止する戻り回転防止手段としての凹部２ａ，・・・と、凸部２ｂ，・・・が設けられている。このため、ネクタイＮをネクタイ用留具１で留めた後に、嵌入体１２が戻り回転してネクタイ用留具１によるネクタイＮの固定状態が緩んでしまうのを防止することができる。
【００２６】
また、留具本体１１の嵌込部１１ｂと嵌入体１２との間に、ネクタイＮを留めた後の留具本体１１と嵌入体１２との分離を防止する分離防止手段としての内反部１１ｃが設けられている。このため、ネクタイ用留具１の留具本体１１と嵌入体１２とは、両者間のネクタイＮの圧入力で固定されるので、ネクタイＮを留めた後に強い外力等が加わると分離してしまうおそれがあるが、それを防止することができる。
【実施例２】
【００２７】
次に、実施例２について説明する。なお、実施例１で説明した内容と同一乃至均等な部分の説明については同一符号を付して説明する。
【００２８】
この実施例２のネクタイ用留具１では、図５に示したように、分離防止手段としての内反部１１ｃがあることに加え、留具本体１１と嵌入体１２との中央に孔が設けられ、この孔に挿入される第２の分離防止手段としての連結部材３が設けられ、より確実にネクタイＮを留めた後の留具本体１１と嵌入体１２との分離を防止することができるようにしたことが実施例１のネクタイ用留具１と主に異なる。
【００２９】
なお、他の構成及び作用効果については、実施例１と略同様であるので説明を省略する。
【実施例３】
【００３０】
次に、実施例３について説明する。なお、実施例１で説明した内容と同一乃至均等な部分の説明については同一符号を付して説明する。
【００３１】
この実施例３のネクタイ用留具１では、図６に示したように、分離防止手段としての内反部１１ｃがあることに加え、留具本体１１と嵌入体１２との中央に第２の分離防止手段としてのマグネット４ａ，４ｂが設けられ、これらの磁力結合で、より確実にネクタイＮを留めた後の留具本体１１と嵌入体１２との分離を防止することができるようにしたことが実施例１のネクタイ用留具１と主に異なる。さらに、マグネット４ａ、４ｂであれば着脱が容易になるため、例えば留具本体１１と嵌入体１２とで色や素材を変えれば、それらを組み合わせることで多数のバリエーションを持たせることができる。
【００３２】
なお、他の構成及び作用効果については、実施例１と略同様であるので説明を省略する。
【実施例４】
【００３３】
次に、実施例４について説明する。なお、実施例１で説明した内容と同一乃至均等な部分の説明については同一符号を付して説明する。
【００３４】
この実施例４のネクタイ用留具１では、図７に示したように、留具本体１１の後側に衣類又は持ち物に止着するための止着部としてのフック５が設けられており、図８に示したように、腰や腕などに巻くアクセサリーとしてだけでなく、スカート等の衣類やバッグ等の持ち物にアクセントを持たせるアクセサリーとしても用いることができるようにしたことが実施例１のネクタイ用留具１と主に異なる。
【００３５】
ここで、フック５は、レール部材上で可動となっており、高さ調整が可能とされている。
【００３６】
また、これに代えて、図９に示したようなフック５が複数設けられているものを用いてもよい。さらに、フック５は、邪魔にならない箇所であれば、嵌入体１２側に設けてもよい。
【００３７】
また、止着部としては、安全ピンなどの他の手段を用いることもできる。
【００３８】
なお、他の構成及び作用効果については、実施例１と略同様であるので説明を省略する。
【実施例５】
【００３９】
次に、実施例５について説明する。なお、実施例１で説明した内容と同一乃至均等な部分の説明については同一符号を付して説明する。
【００４０】
この実施例５のネクタイ用留具１では、図１０に示したように、嵌込体１２の留具本体１１の前側にタイホルダー６が設けられており、このタイホルダー６が着用したネクタイＮの裏面を支持することで、外側に盛り上がったボリューム感を持たせることができるようにしたことが実施例１のネクタイ用留具１と主に異なる。
【００４１】
ここで、タイホルダー６は、長尺の板材を外側に撓らせて、両端を嵌入体１２にヒンジ接合し、ネクタイＮの装着時には邪魔にならないよう退避させておけるようになっている。勿論、このタイホルダー６は、留具本体１１側に設けてもよい。
【００４２】
また、この実施例５のネクタイ用留具１では、留具本体１１の外側を６角型として異なる美観を呈するようにしている。
【００４３】
なお、他の構成及び作用効果については、実施例１と略同様であるので説明を省略する。
【実施例６】
【００４４】
次に、実施例６について説明する。なお、実施例１で説明した内容と同一乃至均等な部分の説明については同一符号を付して説明する。
【００４５】
この実施例６のネクタイ用留具１では、図１１に示したように、分離防止手段として留具本体１１に凸部７１と嵌入体１２に凹部７２とがそれぞれ形成され、これらが相互に嵌合することで、ネクタイＮを留めた後の留具本体１１と嵌入体１２との分離を防止することができるようにしたことが実施例１のネクタイ用留具１と主に異なる。
【００４６】
さらに、嵌合された状態で前面側となる嵌入体１２の中央には、指で摘まんで回すことで留具本体１１に対して嵌入体１２を回転させる回転レバー（取っ手）７３が前方に突出するように形成されている。
【００４７】
なお、本実施例では、凸部７１を留具本体１１側に、凹部７２を嵌入体１２側に、それぞれ形成する場合について説明したが、これに限定されるものではない。凸部を嵌入体１２側に、凹部を留具本体１１側に、形成することもできる。なお、留具本体１１に分離防止手段としての内反部をさらに設けることもできる。
【００４８】
なお、他の構成及び作用効果については、実施例１と略同様であるので説明を省略する。
【００４９】
以上、図面を参照して、本発明を実施するための形態を実施例１〜６に基づいて詳述してきたが、具体的な構成は、これら実施例１〜６に限らず、本発明の要旨を逸脱しない程度の設計的変更は、本発明に含まれる。
【００５０】
例えば、上記した実施例１〜６では、偏心孔１１ａ，１２ａを２つの孔で実施したが、これに限定されず、１つの孔や３つ以上の孔で実施してもよい。
【００５１】
また、上記した実施例１〜６では、偏心孔１１ａ，１２ａを単なるスリット状の孔として実施したが、これに限定されず、図１２に示したように、偏心孔１１ａ，１２ａを十字型にしてデザイン性を持たせたり、図１３に示したように、偏心孔１１ａ，１２ａにネクタイＮの逆出防止突起や端部のタイダマリ等を設けて、更なる機能性を持たせたりして実施してもよい。
【００５２】
さらに、上記した実施例１〜６では、実施例５を除いてはネクタイ用留具１の外形を円型にして実施したが、これに限定されず、図１４に示したように、４角型にしたり、図１５に示したように、動物等のキャラクター型にしたりして、様々な異なる美観を呈するようにして実施してもよい。
【００５３】
また、実施例１では、留具本体１１の嵌込部１１ｂの内側面と嵌入体１２の外側面との間に、ネクタイＮを留めた後の戻り回転を防止する戻り回転防止手段としての凹部２ａ，・・・と、凸部２ｂ，・・・が設けられる場合について説明したが、これに限定されるものではない。図１６に示すように、留具本体１１の前面と嵌入体１２の後面に放射状に凸部２０ａ（１５度刻み）と凸部２０ｂ（３０度刻み）を設けることもできる。さらに、内側面と外側面の間、及び、前面と後面の間、の両方に凹部又は凸部を設けることもできる。このように構成することで、留具本体１１に対して嵌入体１２を好みの角度で固定できるようになる。
【符号の説明】
【００５４】
１      ネクタイ用留具
１１    留具本体
１１ａ  偏心孔
１１ｂ  嵌込部
１１ｃ  内反部（分離防止手段）
１２    嵌入体
１２ａ  偏心孔
２ａ    凹部（戻り回転防止手段）
２ｂ    凸部（戻り回転防止手段）
３      連結部材（分離防止手段）
４ａ    マグネット（分離防止手段）
４ｂ    マグネット（分離防止手段）
５      フック（止着部）
６      タイホルダー
Ｎ      ネクタイ
【要約】
【課題】ネクタイを有効利用することができるネクタイ用留具を提供する。
【解決手段】嵌込部１１ｂを有する留具本体１１と、留具本体１１の嵌込部１１ｂ内に嵌め込まれる嵌入体１２とから成り、留具本体１１の嵌込部１１ｂと、嵌入体１２とには、これらの中心から偏心したネクタイＮを挿通するための偏心孔１１ａ，１１ａ，１２ａ，１２ａがそれぞれ設けられており、嵌入体１２は、留具本体１１の嵌込部１１ｂに嵌め込まれた状態で回転可能とされた構成とされている。
【選択図】図１【図１】
0005916036.tif 000002
【図２】
0005916036.tif 000003
【図３】
0005916036.tif 000004
【図４】
0005916036.tif 000005
【図５】
0005916036.tif 000006
【図６】
0005916036.tif 000007
【図７】
0005916036.tif 000008
【図８】
0005916036.tif 000009
【図９】
0005916036.tif 000010
【図１０】
0005916036.tif 000011
【図１１】
0005916036.tif 000012
【図１２】
0005916036.tif 000013
【図１３】
0005916036.tif 000014
【図１４】
0005916036.tif 000015
【図１５】
0005916036.tif 000016
【図１６】
0005916036.tif 000017